(57)【要約】【課題】液口栓において、液式電池と密閉式電池の液口栓において、兼用装着部を有することで液口栓を兼用する蓄電池用液口栓を提供する。【解決手段】上下面開口する中空筒体の外周下部に、電槽の蓋に穿孔された注液口に嵌合する嵌合部を形成し、上部外周には該中空筒体の上面開口部を覆う帽状カバーを嵌合する嵌合部を形成し、帽状カバーに形成した嵌合部を該中空筒体の上部外周の嵌合部に嵌合させて、該帽状カバーで中空筒体の上面開口部を覆うと共に、該中空筒体の上面開口部をゴム弁または防爆フィルターの兼用装着部とし、該中空筒体の上面開口部縁部には上方に開口する切込みを少なくとも２つ以上形成したもの。【選択図】図２
0003109579.tif 000002
【実用新案登録請求の範囲】
【請求項１】
上下面開口する中空筒体の下部外周に、電槽の蓋に穿孔された注液口に嵌合する嵌合部を形成し、該中空筒体の上端部を除く上部外周には、該中空筒体の上面開口部を覆う帽状カバーを嵌合する嵌合部を形成し、帽状カバーに形成した嵌合部を該中空筒体の上部外周の嵌合部に嵌合させて、該帽状カバーで中空筒体の上面開口部を覆うと共に、該中空筒体の上面開口部をゴム弁または防爆フィルターの兼用装着部としたことを特徴とする蓄電池用液口栓。
【考案の詳細な説明】
【技術分野】
【０００１】
本考案は、液式電池および密閉式電池に使用可能な液口栓に関するものである。
【背景技術】
【０００２】
蓄電池の電槽蓋に穿たれた注液口に施される液口栓は、従来、多量の遊離する電解液を備える液式電池と、遊離する電解液は備えず極板群に含浸する程度の電解液量に制限されている密閉式電池では、その内部構造が異なっている。
【０００３】
例えば自動車用の鉛蓄電池に代表されるような液式電池では、液口栓は有頭筒体で形成され、頭部に排気口を設け、中央部側面に貫通口、下部にスリットを設けてある。また、筒体内部は支持体と一体形成された多数の防沫板が収納さて排気経路が形成され、更には頭部の排気口と防沫板間には通気用の微孔を有していて、外部の発火元から電池内部に滞留した酸素や水素ガスへの引火を防止する防爆フィルターが配置されている（特許文献１）。
【０００４】
また密閉式電池では、液口栓は上面が開口する筒体で構成され、その上面は帽状のカバーで覆われ、筒体内部は中央に排気口を有する板で塞がれ、排気口を囲繞する円筒部が形成された円筒部の上部にゴム弁を被冠し、排気口を常閉している（特許文献２）。
【０００５】
【特許文献１】特開２００２−３１３３１７号公報
【特許文献２】実開平６−４４０１９号公報
【考案の開示】
【考案が解決しようとする課題】
【０００６】
しかしながら、上述されるように液口栓構造が異なるために、例えば同一サイズの電槽蓋であっても、液式電池と密閉式電池とではそれぞれ専用の液口栓を必要とし、部品点数が増え管理の煩わしいものとなっている。
【０００７】
このような背景の下、液式電池と密閉式電池の液口栓において、液口栓を兼用する構造に改良することが望まれる。
【課題を解決するための手段】
【０００８】
本考案は、上下面開口する中空筒体の下部外周に、電槽の蓋に穿孔された注液口に嵌合する嵌合部を形成し、該中空筒体の上端部を除く上部外周には、該中空筒体の上面開口部を覆う帽状カバーを嵌合する嵌合部を形成し、帽状カバーに形成した嵌合部を該中空筒体の上部外周の嵌合部に嵌合させて、該帽状カバーで中空筒体の上面開口部を覆うと共に、該中空筒体の上面開口部をゴム弁または防爆フィルターの兼用装着部としたことを特徴とするものである。
【考案の効果】
【０００９】
本考案では、電池用液口栓において液式電池と密閉式電池の液口栓を兼用して使用することが可能であるため、従来のようにそれぞれ専用の液口栓を準備する必要がなく、部品管理が容易となるとともに、蓄電池作製にかかっていたコストの大幅な改善が可能である。
【考案を実施するための最良の形態】
【００１０】
以下に本考案の実施の形態を説明するが、本考案は以下の説明に限定されるものではない。
【００１１】
図１は、本考案の一実施形態を示す断面図であり、１は液口栓、２は上面開口部、３は切込み、４ａ、４ｂは嵌合部、５は帽状カバー、６は排気口、７ａは上面開口部に装着されたゴム弁、８はゴムパッキング、９は電槽蓋である。
【００１２】
液口栓１は、上下面が開口する中空円筒体１ａからなり合成樹脂により形成されている。該中空円筒体１ａの下部外周には電槽蓋９との嵌合部４ｂとして螺子が形成され、該電槽蓋９に穿孔された注液口９ａの内周面に形成された螺子とゴムパッキング８を介して螺着嵌合され該注液口９ａを閉塞するものである。
【００１３】
該中空円筒体１ａの上端部を除く上部外周には帽状カバー５との嵌合部４ａとしての螺子が形成され、断面逆Ｕ字状に形成された帽状カバー５の内周面下部に形成された螺子が螺着嵌合されて、中空円筒体１ａの上部開口部２を所定の間隔を介して覆っている。このことにより、帽状カバー５で覆われた内部空間には上部開口部２が突出して形成された空間が形成されたものである。
【００１４】
この様に帽状カバー５で覆われた中空円筒体１ａの上面開口部２をゴム弁または防爆フィルターを装着し得る兼用装着部とした。
【００１５】
即ち、図１に示すように突出する該上部開口部２に、断面逆Ｕ字状のゴム弁７ａを嵌着装着して該開口部２を封口することで、密閉式電池用の液口栓とすることができ、後述する図５に示すように該上部開口部２に防爆フィルター７ｂを嵌着装着して該開口部２を塞ぐことで液式電池の液口栓とすることができるものである。
【００１６】
３は上部開口部２の外周壁に形成された切込みで、上方に開口するように形成されている。尚、図中１０は中空円筒体１ａの側面中央に形成した膨径部、１１は液口栓１を電槽蓋９へ嵌合する際に把持し易いように外形を６角形とした把持部である。
【００１７】
図２は液口栓１の正面図である。図２に示す通り、帽状カバー５の側面には、該側面を貫通して排気孔６が形成されている。該排気口６は中空円筒体１ａの上部外周に形成された嵌合部４ａと対応する部分よりは上方に形成されている。この排気口６は図示のように、円形のものに限らず四角形や三角形等どのような形状でも良い。また該排気口６は帽状カバー５の上面に形成しても良いが、粉塵等による目詰まりを防止するには図示のように側面に設けることが好ましい。尚、図１と同じ符号は図１と同じ構成部材を示す。
【００１８】
図３は帽状カバーを除いた状態の正面図である。図３に示す通り、ゴム弁７ａは例えばエチレンプロピレンゴムやフッ素ゴムで形成され、中空円筒体１ａの上部開口部２の上面およびその外周面を覆うように嵌着され、該上面開口部２を完全に覆っており、液口栓を電槽蓋９に施して使用した場合、電槽内内圧が上昇した際、該ゴム弁７ａが押し広げられ、排気孔６を介して外部へ放出され、それ以上の電槽内内圧の上昇を防止するものである。
【００１９】
図４はゴム弁を除いた平面図である。図４に示す通り、中空円筒体１ａの上面開口部２の外周壁には４つの切込み３が形成されているものである。この切込み３は上面に開放する矩形状に形成され、電槽内内圧が上昇した際、この切込み３からゴム弁７を押しのけることで排気し易いようにしたものである。また、中空円筒体１ａに形成された把持部１１は図示の通りその外形を６角形に形成されているものであり、電槽蓋９への液口栓１の嵌合の際に把持して回動し易いようにしている。
【００２０】
図５は上部開口部２に防爆フィルター７ｂを装着したときの帽状カバーを取り除いた状態の正面図である。防爆フィルター７ｂはビーズ状のポリプロピレン樹脂やセラミックで形成された円盤形状を成し、その下面に上部開口部２に形成された切込み３に嵌合する突起７ｂ’が一体に形成されており、該突起７ｂ’を切込み３内に嵌合して装着されている。この際切込み３は四方に４つ形成されているので、装着した防爆フィルター７ｂは左右側方への移動が抑制され、更に円盤形状部をその上方を覆う帽状カバー５と接近する程度に肉厚に形成することで防爆フィルター７ｂが上面開口部２から外れることはない。
尚、該突起７ｂ’を切込み３内へ接着剤により接着しても良い。
【００２１】
更に、切込みが無い場合は、中空円筒体１ａの上端縁部に接着固定するか、上面開口部２内に嵌め合わせても良い。
【００２２】
尚、中空円筒体１ａの下部内周に防沫体と一体に形成された支持体（図示せず）を嵌着するための環状溝を形成し、必要により支持体を嵌着しても良い。
【図面の簡単な説明】
【００２３】
【図１】本考案実施形態液口栓を電槽蓋に嵌合した状態を示す断面図
【図２】本考案実施形態液口栓の正面図
【図３】帽状カバーを外した本考案実施形態液口栓の正面図
【図４】ゴム弁も外した本考案実施形態液口栓の平面図
【図５】帽状カバーを外した本考案他の実施形態液口栓の正面図
【符号の説明】
【００２４】
１    液口栓
１ａ  中空円筒体
２    上面開口部
３    切込み
４ａ  嵌合部
４ｂ  嵌合部
５    帽状カバー
７ａ  ゴム弁
７ｂ  防爆フィルファー
９    電槽蓋
【図１】
0003109579.tif 000003
【図２】
0003109579.tif 000004
【図３】
0003109579.tif 000005
【図４】
0003109579.tif 000006
【図５】
0003109579.tif 000007